(57)【要約】【課題】変換器の２次側巻線に中心電位を発生させ、各変換器の２次側巻線のセンター出力端子から左信号と右信号およびセンター出力信号を取出すようにする。【解決手段】変換器Ｔ１、Ｔ２、Ｔ３の２次側部の両外側出力端子をそれぞれ接続してデルタ結線を形成し、各変換器の２次側部の２外側出力端子間にあるセンター出力端子をアース電位を有する中心電位形成回路４０Ａ、４０Ｂ、４０Ｃと第１群の和信号形成抵抗Ｒ４１を介して接続し中心電位を発生する中心電位点４２を形成し、デルタ結線した各外側出力端子の接続点と前記中心電位点とを第２群の和信号形成抵抗Ｒ４２を介して接続し、２次側部の外側出力端子間にあるセンター出力端子から左信号Ｌおよび右信号Ｒを取出し、センター出力端子に出力された右信号Ｒと左信号Ｌおよびセンター出力信号Ｓを中心電位点４２の中心電位に基づいて取出す。【選択図】図４
2009290538.tif 000002
【特許請求の範囲】
【請求項１】
２入力端子を有する１次側部と３出力端子を有する２次側部を備えた第１、第２および第３の変換器とよりなり、
第１の変換器の１次側部の一方の入力端子と第３の変換器の１次側部の一方の入力端子とを接続し、
第２の変換器の１次側部の一方の入力端子と第３の変換器の１次側部の他方の入力端子とを接続し、
第１、第２、第３変換器の２次側部の両外側出力端子をそれぞれ接続してデルタ結線を形成し、
前記第１、第２、第３変換器の２次側部の２外側出力端子間にあるセンター出力端子をアース電位を有する第１、第２、第３の中心電位形成回路と第１群の和信号形成抵抗とを中心電位を生じる中心電位点に接続し、
前記デルタ結線した各外側出力端子の接続点と前記中心電位点とを第２群の和信号形成抵抗を介して接続し、
前記接続された第１の変換器の１次側部の一方の入力端子と第３の変換器の１次側部の一方の入力端子に左信号Ｌとセンター出力信号Ｓとを含む左複合信号Ｌｏを加え、
前記接続された第２の変換器の１次側部の一方の入力端子と第３の変換器の１次側部の他方の入力端子に右信号Ｒとセンター出力信号Ｓとを含む右複合信号Ｒｏを加え、
第１および第３の中心電位形成回路の出力端子からアース電位を基準とした左信号Ｌおよび右信号Ｒを発生させ、
第２の中心電位形成回路の出力端子から右信号Ｒおよび左信号Ｌに含まれるアース電位を基準としたセンター出力信号Ｓを発生させ、
前記各中心電位形成回路の出力信号を第１群の和信号形成抵抗を介して加えアース電位を基準とした中心電位を形成し、アース電位を基準とした前記中心電位に前記各外側出力端子の接続点の出力信号を第２群の和信号形成抵抗を加え、前記中心電位を安定し、
前記第１、第２および第３の中心電位形成回路の出力端子から左信号Ｌ、右信号Ｒおよびセンター信号Ｓを取出すことができるようにしたことを特徴とするステレオ信号取出回路。
【請求項２】
前記第１群の和信号形成抵抗の抵抗値を１ＫΩとし、第２群の和信号形成抵抗の抵抗値を１０ＫΩとしてことを特徴とする請求項１記載のステレオ信号取出回路。
【請求項３】
前記第１、第２、第３の中心電位形成回路は左信号あるいは右信号またはセンター出力信号を加えるバッファーと、
一方の端子がアースされ他方の端子に前記バッファーからの信号が加えられる第１の差動増幅回路とよりなることを特徴とする請求項１に記載のステレオ信号取出回路。
【請求項４】
前記第１、第２、第３の中心電位形成回路のバッファーは一方の入力端子に左信号あるいは右信号またはセンター出力信号が加えられる第２の差動増幅回路と抵抗とよりなることを特徴とする請求項３に記載のステレオ信号取出回路。
【請求項５】
前記バッファーは十分大きな抵抗値を有する抵抗のみからなることを特徴とする請求項３に記載のステレオ信号取出回路。
【請求項６】
２入力端子を有する１次側部と３出力端子を有する２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の他方の入力端子とを接続し、第１、第２、第３変換器の２次側部の両外側出力端子をそれぞれ接続してデルタ結線を形成し、前記第１、第２、第３変換器の２次側部の２外側出力端子間にあるセンター出力端子をアース電位を有する第１、第２、第３の中心電位形成回路と第１群の和信号形成抵抗とを中心電位を生じる中心電位点に接続し、前記デルタ結線した各外側出力端子の接続点と前記中心電位点とを第２群の和信号形成抵抗を介して接続し、前記接続された第１の変換器の１次側部の一方の入力端子と第３の変換器の１次側部の一方の入力端子に左信号Ｌとセンター出力信号Ｓとを含む左複合信号Ｌｏを加え、前記接続された第２の変換器の１次側部の一方の入力端子と第３の変換器の１次側部の他方の入力端子に右信号Ｒとセンター出力信号Ｓとを含む右複合信号Ｒｏを加え、第１および第３の中心電位形成回路の出力端子からアース電位を基準とした左信号Ｌおよび右信号Ｒを発生させ、第２の中心電位形成回路の出力端子から右信号Ｒおよび左信号Ｌに含まれるアース電位を基準としたセンター出力信号Ｓを発生させ、前記各中心電位形成回路の出力信号を第１群の和信号形成抵抗を介して加えアース電位を基準とした中心電位を形成し、アース電位を基準とした前記中心電位に前記各外側出力端子の接続点の出力信号を第２群の和信号形成抵抗を加え、前記中心電位を安定し、前記第１、第２および第３の中心電位形成回路の出力端子から左信号Ｌ、右信号Ｒおよびセンター信号Ｓを取出し、
前記取出された前記左信号Ｌを左側のスピーカーから再生し、右信号Ｒを右側のスピーカーから再生し、センター出力信号Ｓを左側のスピーカーと右側のスピーカーのセンターに置かれたセンタースピーカーから再生をすることを特徴とするステレオ再生装置。
【発明の詳細な説明】
【技術分野】
【０００１】
本発明は左信号と右信号のセンターにあるセンター出力信号を取出し、センターにあるスピーカから再生することにより、どの位置で聞いても立体音を楽しめることができるようにしたステレオ再生装置に関する。
【背景技術】
【０００２】
左右２信号で伝送されたステレオ信号を左右２つのスピーカーで再生すると、左信号Ｌは左のスピーカーから再生され、右信号Ｒは右のスピーカーから再生される。そして中央の信号は左右２つのスピーカーから同時に再生されて、左右のスピーカー間の中央に位置した聴取者には、この再生音が２つのスピーカーの中央から聴こえてくる。
【０００３】
しかし、この時中央の聴取者が左のスピーカー前方に移動すると、この聴取者には左の音と中央の音までが左のスピーカーから聞え、右のスピーカーからは右の音しか聞えない。中央に定位すべき音が聴取者の位置につれて移動し適正な再生状態が得られなくなる。
【０００４】
これは、高忠実度再生を目指すステレオ再生にとって非常に大きな問題であり、カーステレオのみならず、多数の聴取者が同時に聴く映画館やコンサート会場などにおいて重大な問題となる。
【０００５】
そこで、左右の音声信号に含まれているセンター出力信号Ｓを取出し、取出されたセンター出力信号Ｓを左右のスピーカーのセンターに置かれたセンタースピーカーから再生することにより、聴取者のいる位置に係わらず臨場感が溢れた高忠実度のステレオ音声を聴くことができるようにすることは本件出願人が既に特許を取得している（特許第４０６９１２１号）。
【０００６】
図１は特許第４０６９１２１号公報に記載されたステレオ再生装置に用いたステレオ信号取出回路１４のブロック図である。入力端子１５Ｌ、１５Ｒに接続された共通信号検出回路１７及び差動増幅回路１６Ｌ、１６Ｒを有する。
【０００７】
入力端子１５Ｌ、１５ＲにはＣＤあるいはテープ等から再生され伝送された左複合信号Ｌｏおよび右複合信号Ｒｏが加えられる。左複合信号Ｌｏには左信号Ｌとセンター出力信号Ｓが含まれるＬ＋Ｓ信号であり、同様に右複合信号Ｒｏには右信号Ｒとセンター出力信号Ｓが含まれＲ＋Ｓ信号である。
【０００８】
入力端子１５Ｌに加えられた左複合信号Ｌｏは差動増幅回路１６Ｌの＋端子に加えられる。また、入力端子１５Ｒに加えられた右複合信号Ｒｏは差動増幅回路１６Ｒの＋端子に加えられる。
【０００９】
さらに、入力端子１５Ｌ、１５Ｒに加えられた左複合信号Ｌｏ、右複合信号Ｒｏは共通信号検出回路１７に加えられ、センター出力信号Ｓを発生する。発生されたセンター出力信号Ｓはそのままセンター出力端子１８Ｓから取出される他、差動増幅回路１６Ｌ、１６Ｒの−端子に加えられる。
【００１０】
差動増幅回路１６Ｌからは出力端子１８Ｌにセンター出力信号Ｓが含まれない左信号Ｌが取出され、差動増幅回路１６Ｒからは出力端子１８Ｒにセンター出力信号Ｓが含まれない左信号ＬＲが取出される。
【００１１】
図２は前述した各ステレオ信号を取出すためのステレオ信号取出回路１４の回路図である。ステレオ信号取出回路１４は第１のトランスＴ１、第２のトランスＴ２および第３のトランスＴ３よりなる。
【００１２】
第１のトランスＴ１の１次側巻線Ｔ１１の両端には２入力端子ｔ１、ｔ２を有し、２次側巻線Ｔ１２には両端に出力端子ｔ３、ｔ５を有する他、出力端子ｔ３、ｔ５のセンターにはセンター出力端子ｔ４を有する。
【００１３】
図２に示すように、第１のトランスＴ１の１次側巻線Ｔ１１の一方の入力端子ｔ１と第３のトランスＴ３の１次側巻線Ｔ３１の一方の入力端子ｔ１とが接続されている。同様に、第２のトランスＴ２の１次側巻線Ｔ２１の一方の入力端子ｔ１と第３のトランスＴ３の１次側巻線Ｔ３１の前記と異なる他方の入力端子ｔ２とが接続されている。
【００１４】
第１のトランスＴ１、第２のトランスＴ２および第３のトランスＴ３の２次側巻線Ｔ１２、Ｔ２２、Ｔ３２はデルタ結線されている。第１のトランスＴ１の１次側巻線Ｔ１１の入力端子ｔ１と第３のトランスＴ３の１次側巻線Ｔ３１の入力端子ｔ１にセンター出力信号Ｓを含む左複合信号Ｌｏ＝２Ｌ＋２Ｓが加えられる。また、第２のトランスＴ２の１次側巻線Ｔ２１の入力端子ｔ１と第３のトランスＴ３の１次側巻線Ｔ３１の入力端子ｔ２にセンター出力信号Ｓを含む右複合信号Ｒｏ＝２Ｒ＋２Ｓを加えられる。
【００１５】
上述のような構成において、１次側巻線と２次側巻線の巻線比が１：１にされているので、デルタ結線された第１のトランスＴ１の２次側部側巻線Ｔ１２の端子ｔ３には信号Ｌ＋Ｓが誘起され、端子ｔ５には信号−Ｌ−Ｓが誘起される。
【００１６】
第２のトランスＴ２の２次側巻線Ｔ２２の端子ｔ３には信号Ｒ＋Ｓが誘起される。端子ｔ５には信号−Ｒ−Ｓが誘起される。
【００１７】
第３のトランスＴ３の２次側巻線Ｔ１２の端子ｔ３には信号Ｌ−Ｒ誘起される。端子ｔ５には信号Ｒ−Ｌが誘起される。
【００１８】
従って、第１のトランスＴ１の２次側巻線Ｔ１２の端子ｔ３と第３のトランスＴ３の２次側巻線Ｔ３２の端子ｔ３との接続点Ｘには信号Ｌ＋Ｓ−Ｒが発生される。また、第２のトランスＴ２の２次側巻線Ｔ２２の端子ｔ３と第３のトランスＴ３の２次側巻線Ｔ３２の端子ｔ５と接続点Ｙには信号Ｒ＋Ｓ−Ｌが発生される。さらに、トランスＴ１の第１の２次側巻線Ｔ１２の端子ｔ５と第２のトランスＴ２の２次側巻線Ｔ２２の端子ｔ５と接続点Ｚには信号−Ｒ−Ｓ−Ｌが発生される。
【００１９】
それ故に、第１、第２および第３のトランスＴ１、Ｔ２、Ｔ３の２次側巻線の各センター出力端子ｔ４からは左信号−Ｌ、右信号−Ｒおよびセンター出力信号Ｓが発生される。
【００２０】
図２においてセンター出力信号Ｓは発生される。しかし、デルタ結線された第１、第２および第３のトランスＴ１、Ｔ２、Ｔ３の２次側巻線Ｔ１２、２２、３２はフローティングされているので、このままでは各発生された信号を取出すことができない。
【００２１】
図９は図２に示すステレオ信号取出回路で発生されたセンター出力信号Ｓを取出すことができるようにした一実施例を示す結線図である。センター出力信号Ｓを取出すのにスイッチング素子を用いる方法もあるが、スイッチング素子を使用しないでセンター出力信号Ｓを取出すセンター出力信号取出回路の結線図である。
【００２２】
図１０に示すように、第１、第２、第３のトランスＴ１、Ｔ２、Ｔ３には巻線比が１：１にされた１次側巻線Ｔ１１、Ｔ２１、Ｔ３１と第１の２次側巻線Ｔ１２、Ｔ２２、Ｔ３２および第２の２次側巻線Ｔ１３、Ｔ２３、Ｔ３３を有する。また、第１の２次側巻線Ｔ１２、Ｔ２２、Ｔ３２には両出力端子ｔ３１、ｔ５１およびセンター出力端子ｔ４１を有し、第２の２次側巻線Ｔ１３、Ｔ２３、Ｔ３３には両出力端子ｔ３２、ｔ５２およびセンター出力端子ｔ４２を有する。
【００２３】
第１トランスＴ１の１次側巻線Ｔ１１の端子ｔ１と第３トランスＴ３の１次側巻線Ｔ３１の入力端子ｔ１とは接続され、左複合信号Ｌｏ＝２Ｌ＋２Ｓが加えられる。入力端子ｔ２はアースされている。
【００２４】
同様に、第２トランスＴ２の１次側巻線Ｔ２１の入力端子ｔ１と第３トランスＴ３の１次側巻線Ｔ３１の入力端子ｔ２とは接続され、右複合信号Ｒｏ＝２Ｒ＋２Ｓが加えられる。尚入力端子ｔ２はアースされている。
【００２５】
第１、第２、第３のトランスＴ１、Ｔ２、Ｔ３の第１の２次側巻線Ｔ１２、Ｔ２２、Ｔ３２および第２の２次側巻線Ｔ１３、Ｔ２３、Ｔ３３をそれぞれデルタ結線する。デルタ結線された前記第１、第２、第３のトランスＴ１、Ｔ２、Ｔ３の第１の２次側部Ｔ１２、Ｔ２２、Ｔ３２の各センター出力端子ｔ４１をインピダンス無限大の差動増幅回路３０Ａ、３０Ｂ、３０Ｃの＋入力端子に接続する。また第２の２次側巻線Ｔ１３、Ｔ２３、Ｔ３３のセンター出力端子ｔ４２をそれぞれ差動増幅回路の各３０Ａ、３０Ｂ、３０Ｃの−入力端子に接続する。
【００２６】
前述の第１トランスＴ１の１次側巻線Ｔ１１の入力端子ｔ１と第３トランスＴ３の１次側巻線Ｔ３１の入力端子ｔ１に信号２Ｌ＋２Ｓを加え、第２トランスＴ２の１次側巻線Ｔ２１の入力端子ｔ１と第３トランスＴ３の１次側巻線Ｔ３１の入力端子ｔ２に信号２Ｒ＋２Ｓを加えられる。
【００２７】
前述の信号を加えることにより、第１の２次側巻線Ｔ１２と第１の２次側巻線Ｔ３２の接続点Ｘ１には信号−Ｌ−Ｓ＋Ｒが誘起される。また第１の２次側巻線Ｔ２２と第１の２次側巻線Ｔ３２の接続点Ｙ１には信号−Ｒ−Ｓ＋Ｌが誘起される。さらに第１の２次側巻線Ｔ１２と第１の２次側巻線Ｔ２２の接続点Ｚ１には信号＋Ｒ＋Ｓ＋Ｌが誘起される。
【００２８】
同様に、第２の２次側巻線Ｔ１３と第２の２次側巻線Ｔ３３の接続点Ｘ２には信号＋Ｌ＋Ｓ−Ｒが誘起される。また第２の２次側巻線Ｔ３３と第２の２次側巻線Ｔ１３の接続点Ｙ２には信号＋Ｒ＋Ｓ−Ｌが誘起される。さらに、第２の２次側巻線Ｔ１３と第２の２次側巻線Ｔ２３の接続点Ｚ２には信号−Ｒ−Ｓ−Ｌが誘起される。
【００２９】
従って、差動増幅回路３０Ｃの＋入力端子にはセンター出力信号Ｓが加えられ、−入力端子にはセンター出力信号−Ｓが加えられるので、差動増幅回路３０Ｃの出力端子にはセンター出力信号２Ｓが取出される。
【００３０】
同じようにして、差動増幅回路３０Ａの＋入力端子には右信号Ｒが加えられ、−入力端子には右信号−Ｒが加えられるので、差動増幅回路３０Ａの出力端子には右信号２Ｒが取出される。
【００３１】
差動増幅回路３０Ｂの＋入力端子には左信号Ｌが加えられ、−入力端子には左信号−Ｌが加えられるので、差動増幅回路３０Ｂの出力端子には右信号２Ｌが取出される。
【特許文献１】特許第４０６９１２１号
【発明の開示】
【発明が解決しようとする課題】
【００３２】
前述したように、２入力端子を有する１次側部と３出力端子を有する２次側部を備えた第１の変換器の１次側部の一方の入力端子と第３の変換器の１次側部の一方の入力端子とを接続し、第２の変換器の１次側部の一方の入力端子と第３の変換器の１次側部の前記と異なる他方の入力端子とを接続し、前記接続された第１の変換器の１次側部の一方の入力端子と第３の変換器の１次側部の一方の入力端子に左信号Ｌとセンター出力信号Ｓとを含む左複合信号Ｌｏを加え、接続された第２の変換器の１次側部の一方の入力端子と第３の変換器の１次側部の他方の入力端子に右信号Ｒとセンター出力信号Ｓとを含む右複合信号Ｒｏを加えることにより、第１および第２の２次側部の外側出力端子間にあるセンター出力端子から左信号Ｌおよび右信号Ｒを発生し、第３の変換器の２次側部の外側出力端子間にあるセンター出力端子から右信号Ｒおよび左信号Ｌに含まれるセンター出力信号Ｓを発生することはできる。
【００３３】
しかし、デルタ結線された第１、第２および第３のトランスＴ１、Ｔ２、Ｔ３の第１の２次側巻線Ｔ１２、２２、３２はフローティングされているので、このままでは各発生された信号を取出すことができない。
【００３４】
そのため、図９に示すように、複数の２次側巻線を有する変換器と差動増幅回路を用いて比較電位を作り、右信号と左信号およびセンター出力信号を取出すことが考えられるが、変換器が複雑で且つ特殊となるので現実的でない。
【課題を解決するための手段】
【００３５】
本発明は変換器の２次側巻線にアース電位を基準とした中心電位を形成する中心電位点を設け、各変換器の２次側巻線のセンター出力端子から左信号と右信号およびセンター出力信号を取出すようにしたものであり、２入力端子を有する１次側部と３出力端子を有する２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の他方の入力端子とを接続し、第１、第２、第３変換器の２次側部の両外側出力端子をそれぞれ接続してデルタ結線を形成し、前記第１、第２、第３変換器の２次側部の２外側出力端子間にあるセンター出力端子をアース電位を有する第１、第２、第３の中心電位形成回路と第１群の和信号形成抵抗とを介して接続し中心電位を生じる中心電位点を形成し、前記デルタ結線した各外側出力端子の接続点と前記中心電位点とを第２群の和信号形成抵抗を介して接続し、前記接続された第１の変換器の１次側部の一方の入力端子と第３の変換器の１次側部の一方の入力端子に左信号Ｌとセンター出力信号Ｓとを含む左複合信号Ｌｏを加え、前記接続された第２の変換器の１次側部の一方の入力端子と第３の変換器の１次側部の他方の入力端子に右信号Ｒとセンター出力信号Ｓとを含む右複合信号Ｒｏを加え、アース電位を基準として第１および第３の中心電位形成回路の出力端子から左信号Ｌおよび右信号Ｒを発生し、第２の中心電位形成回路の出力端子から右信号Ｒおよび左信号Ｌに含まれるセンター出力信号Ｓを発生し、前記各中心電位形成回路の出力信号を第１群の和信号形成抵抗を介して加えアース電位を基準とした中心電位を形成し、前記第１群の和信号形成抵抗を介して加え形成した前記中心電位に前記各外側出力端子の接続点の出力信号を第２群の和信号形成抵抗を加え、前記中心電位を安定し、前記第１、第２および第３の中心電位形成回路の出力端子から左信号Ｌ、右信号Ｒおよびセンター信号Ｓを取出すことができるようにしたステレオ信号取出回路を提供する。
【００３６】
本発明の前記中心電位形成回路は左信号あるいは右信号またはセンター出力信号を加えるバッファーと、一方の入力端子がアースされ、他方の入力端子に前記バッファーからの信号が加えられる第１の差動増幅回路とよりなるステレオ信号取出回路を提供する。
【００３７】
本発明は前記中心電位形成回路のバッファーは一方の入力端子に左信号あるいは右信号またはセンター出力信号が加えられる第２の差動増幅回路と抵抗とよりなるステレオ信号取出回路を提供する。
【００３８】
本発明は２入力端子を有する１次側部と３出力端子を有する２次側部を備えた第１、第２および第３の変換器とよりなり、第１の変換器の１次側部の一方の入力端子と第３の変換器の１次側部の一方の入力端子とを接続し、第２の変換器の１次側部の一方の入力端子と第３の変換器の１次側部の他方の入力端子とを接続し、第１、第２、第３変換器の２次側部の両外側出力端子をそれぞれ接続してデルタ結線を形成し、前記第１、第２、第３変換器の２次側部の２外側出力端子間にあるセンター出力端子をアース電位を有する第１、第２、第３の中心電位形成回路と第１群の和信号形成抵抗とを中心電位を生じる中心電位点に接続し、前記デルタ結線した各外側出力端子の接続点と前記中心電位点とを第２群の和信号形成抵抗を介して接続し、前記接続された第１の変換器の１次側部の一方の入力端子と第３の変換器の１次側部の一方の入力端子に左信号Ｌとセンター出力信号Ｓとを含む左複合信号Ｌｏを加え、前記接続された第２の変換器の１次側部の一方の入力端子と第３の変換器の１次側部の他方の入力端子に右信号Ｒとセンター出力信号Ｓとを含む右複合信号Ｒｏを加え、第１および第３の中心電位形成回路の出力端子からアース電位を基準とした左信号Ｌおよび右信号Ｒを発生させ、第２の中心電位形成回路の出力端子から右信号Ｒおよび左信号Ｌに含まれるアース電位を基準としたセンター出力信号Ｓを発生させ、前記各中心電位形成回路の出力信号を第１群の和信号形成抵抗を介して加えアース電位を基準とした中心電位を形成し、アース電位を基準とした前記中心電位に前記各外側出力端子の接続点の出力信号を第２群の和信号形成抵抗を加え、前記中心電位を安定し、前記第１、第２および第３の中心電位形成回路の出力端子から左信号Ｌ、右信号Ｒおよびセンター信号Ｓを取出し、前記取出された前記左信号Ｌを左側のスピーカーから再生し、右信号Ｒを右側のスピーカーから再生し、センター出力信号Ｓを左側のスピーカーと右側のスピーカーのセンターに置かれたセンタースピーカーから再生をするステレオ再生装置を提供する。
【発明の効果】
【００３９】
本発明のステレオ信号取出回路は第１、第２、第３変換器の２次側部の両外側出力端子をそれぞれ接続してデルタ結線を形成し、第１、第２、第３変換器の２次側部の２外側出力端子間にあるセンター出力端子をアース電位を有する中心電位形成回路と第１群の和信号形成抵抗を介して接続したので、中心電位形成回路からアース電位を基準とした各出力信号を発生させることができ、発生された各出力信号を第１群の和信号形成抵抗を介して加えアース電位を基準とした中心電位点を形成し、その中心電位に第１、第２、第３変換器の２次側部の２外側出力端子に接続した接続点の信号を第２群の和信号形成抵抗を介して加え取出された中心電位を安定にした。従って、従来デルタ接続された第１、第２、第３変換器の２次側部がフローテイングされていたため、センター出力端子に発生されても取り出せなかった出力信号をアース電位を基準とした中心電位に基づいて左信号と右信号およびセンター出力信号を取出すことができる。
【００４０】
また、中心電位を形成する中心電位形成回路は数個の抵抗と差動増幅回路で構成したので、各信号を取出す回路が簡単となり、大型テレビジョン等にも容易に利用できる。
【発明を実施するための最良の形態】
【００４１】
図１は本発明のステレオ信号取出回路のブロック図で、図２は本発明のステレオ信号取出回路の原理を示す原理図で、図３は本発明のステレオ信号取出回路に用いたトランスの図で、図３（Ａ）は第１のトランス、図３（Ｂ）は第２のトランス、図３（Ｃ）は第３のトランスの回路図で、図４は本発明のステレオ信号取出回路の回路図で、図５は本発明のステレオ信号取出回路に用いた中心電位形成回路の回路図で、図６は本発明のステレオ信号取出回路に用いた中心電位形成回路の他の実施例を示す回路図で、図７は本発明のステレオ再生装置のブロック図で、図８は本発明のステレオ再生装置の他の実施例を示すブロック図である。
【００４２】
図１において、入力端子１５Ｌ、１５Ｒに接続された共通信号検出回路１７及び差動増幅回路１６Ｌ、１６Ｒを有する。
【００４３】
入力端子１５Ｌ、１５ＲにはＣＤあるいはテープ等から再生され伝送された左複合信号Ｌｏおよび右複合信号Ｒｏが加えられる。左複合信号Ｌｏには左信号Ｌとセンター出力信号Ｓが含まれるＬ＋Ｓ信号であり、同様に右複合信号Ｒｏには右信号Ｒとセンター出力信号Ｓが含まれＲ＋Ｓ信号である。
【００４４】
入力端子１５Ｌに加えられた左複合信号Ｌｏは差動増幅回路１６Ｌの＋端子に加えられる。また、入力端子１５Ｒに加えられた右複合信号Ｒｏは差動増幅回路１６Ｒの＋端子に加えられる。
【００４５】
さらに、入力端子１５Ｌ、１５Ｒに加えられた左複合信号Ｌｏ、右複合信号Ｒｏは共通信号検出回路１７に加えられ、センター出力信号Ｓを発生する。発生されたセンター出力信号Ｓはそのままセンター出力端子１８Ｓから取出される他、差動増幅回路１６Ｌ、１６Ｒの−端子に加えられる。
【００４６】
差動増幅回路１６Ｌからは出力端子１８Ｌにセンター出力信号Ｓが含まれない左信号Ｌが取出され、差動増幅回路１６Ｒからは出力端子１８Ｒにセンター出力信号Ｓが含まれない左信号Ｌが取出される。
【００４７】
図２は前述した各ステレオ信号を取出すためのステレオ信号取出回路１４の回路図である。ステレオ信号取出回路１４は第１のトランスＴ１、第２のトランスＴ２および第３のトランスＴ３よりなる。
【００４８】
図３に各トランスＴ１、Ｔ２、Ｔ３を示す。図３（Ａ）に示すように、第１のトランスＴ１は１次側巻線Ｔ１１と２次側巻線Ｔ１２を有し、１次側巻線Ｔ１１と第１の２次側巻線Ｔ１２は共にインピーダンスが１ＫΩにされている。また、１次側巻線Ｔ１１と２次側巻線Ｔ１２の巻線比は１：１にされている。
【００４９】
第１のトランスＴ１の１次側巻線Ｔ１１の両端には２入力端子ｔ１、ｔ２を有し、２次側巻線Ｔ１２には両端に３出力端子ｔ３、ｔ５を有する他、出力端子ｔ３、ｔ５のセンターにはセンター出力端子ｔ４を有する。
【００５０】
図３（Ｂ）および図３（Ｃ）に示すように、第２のトランスＴ２および第３のトランスＴ３も第１のトランスＴ１と同様な構成をしている。
【００５１】
図２に示すように、第１のトランスＴ１の１次側巻線Ｔ１１の一方の入力端子ｔ１と第３のトランスＴ３の１次側巻線Ｔ３１の一方の入力端子ｔ１とが接続されている。同様に第２のトランスＴ２の１次側巻線Ｔ２１の一方の入力端子ｔ１と第３のトランスＴ３の１次側巻線Ｔ３１の前記と異なる他方の入力端子ｔ２とが接続されている。
【００５２】
第１のトランスＴ１、第２のトランスＴ２および第３のトランスＴ３の２次側巻線Ｔ１２、Ｔ２２、Ｔ３２はデルタ結線されている。第１のトランスＴ１の１次側巻線Ｔ１１の入力端子ｔ１と第３のトランスＴ３の１次側巻線Ｔ３１の入力端子ｔ１にセンター出力信号Ｓを含む左複合信号Ｌｏ＝２Ｌ＋２Ｓが加えられる。また、第２のトランスＴ２の１次側巻線Ｔ２１の入力端子ｔ１と第３のトランスＴ３の１次側巻線Ｔ３１の入力端子ｔ２にセンター出力信号Ｓを含む右複合信号Ｒｏ＝２Ｒ＋２Ｓを加えられる。
【００５３】
上述のような構成において、１次側巻線と２次側巻線の巻線比が１：１にされているので、デルタ結線された第１のトランスＴ１の２次側部側巻線Ｔ１２の端子ｔ３には信号Ｌ＋Ｓが誘起され、端子ｔ５には信号−Ｌ−Ｓが誘起される。
【００５４】
第２のトランスＴ２の２次側巻線Ｔ２２の端子ｔ３には信号Ｒ＋Ｓが誘起される。端子ｔ５には信号−Ｒ−Ｓが誘起される。
【００５５】
第３のトランスＴ３の２次側部側巻線Ｔ１２の端子ｔ３には信号Ｌ−Ｒ誘起される。端子ｔ５には信号Ｒ−Ｌが誘起される。
【００５６】
従って、第１のトランスＴ１の２次側巻線Ｔ１２の端子ｔ３と第３のトランスＴ３の２次側巻線Ｔ３２の端子ｔ３との接続点Ｘには信号Ｌ＋Ｓ−Ｒが発生される。また、第２のトランスＴ２の２次側巻線Ｔ２２の端子ｔ３と第３のトランスＴ３の２次側巻線Ｔ３２の端子ｔ５と接続点Ｙには信号Ｒ＋Ｓ−Ｌが発生される。さらに、トランスＴ１の第１の２次側巻線Ｔ１２の端子ｔ５と第２のトランスＴ２の２次側巻線Ｔ２２の端子ｔ５と接続点Ｚには信号−Ｒ−Ｓ−Ｌが発生される。
【００５７】
それ故に、デルタ結線された第１、第２および第３のトランスＴ１、Ｔ２、Ｔ３の２次側巻線の各センター出力端子ｔ４からは左信号−Ｌ、右信号−Ｒおよびセンター出力信号Ｓが発生される。
【００５８】
しかし、第１、第２および第３のトランスＴ１、Ｔ２、Ｔ３の第１の２次側巻線Ｔ１２、２２、３２はフローティングされているので、このままでは各発生された信号を取出すことができない。
【００５９】
図４は図３のデルタ結線された第１、第２および第３のトランスＴ１、Ｔ２、Ｔ３の２次側巻線Ｔ１２、２２、３２にアース電位を基準とした中心電位を発生する中心電位形成回路を組込んだ回路図である。
【００６０】
２次側部の両外側出力端子をそれぞれ接続してデルタ結線された第１、第２および第３のトランスＴ１、Ｔ２、Ｔ３の２次側巻線Ｔ１２、２２、３２の各センター出力端子ｔ４には第１、第２、第３の中心電位形成回路４０Ａ、４０Ｂ、４０Ｃの入力端子が接続されている。また、第１、第２、第３の中心電位形成回路４０Ａ、４０Ｂ、４０Ｃの出力端子ｔ４ｒＲ、ｔ４ｓ、ｔ４ｌは第１群の和信号形成抵抗Ｒ４１、Ｒ４１、Ｒ４１に接続され、第１群の和信号形成抵抗Ｒ４１、Ｒ４１、Ｒ４１の第１、第２、第３の中心電位形成回路４０Ａ、４０Ｂ、４０Ｃの出力端子ｔ４ｒ、ｔ４ｓ、ｔ４ｌに接続されたと反対側端子は結合され、中心電位Ｔ/３を発生する中心電位点４２を形成する。
【００６１】
中心電位点４２には第１、第２および第３のトランスＴ１、Ｔ２、Ｔ３の２次側部の両外側出力端子をそれぞれ接続した接続点Ｘ、Ｙ、Ｚが第２群の和信号形成抵抗Ｒ４２、Ｒ４２、Ｒ４２を介して接続されている。
【００６２】
第１群の和信号形成抵抗Ｒ４１の抵抗値は１ＫΩで、第２群の和信号形成抵抗Ｒ４２の抵抗値は１０ＫΩである。
【００６３】
図５に第１、第２、第３の中心電位形成回路を示す。第１、第２、第３の中心電位形成回路４０Ａ、４０Ｂ、４０Ｃは全て同一回路構成で、バッファー４５と第１差動増幅回路４７よりなる。中心電位形成回路４０Ａ、４０Ｂ、４０Ｃの第１差動増幅回路４７の＋入力端子はバッファー４５に接続され、−入力端子は抵抗Ｒ４９を介してアースに接続されている。
【００６４】
バッファー４５は第２差動増幅回路４８と抵抗Ｒ４８とで構成され、第２差動増幅回路４８の＋入力端子はそれぞれ第１、第２および第３のトランスＴ１、Ｔ２、Ｔ３の２次側巻線Ｔ１２、２２、３２の各センター出力端子ｔ４、ｔ４、ｔ４に接続されている。
【００６５】
前述したようにバッファー４５を構成する第２差動増幅回路４８の出力端子は抵抗Ｒ４８を介して第１の差動増幅回路４７の＋入力端子に接続されている。第１の差動増幅回路４７の−入力端子は抵抗Ｒ４９を介してアースに接続されている。各第１の差動増幅回路４７の出力端子ｔ４ｒ、ｔ４ｓ、ｔ４ｌは前述した第１群の和信号形成抵抗Ｒ４１に接続され、第１群の和信号形成抵抗Ｒ４１の他端は結合されて中心電位点４２となる。
【００６６】
上述の構成なので、第１のトランスＴ１のセンター出力端子ｔ４から取出された右信号−Ｒは第１の中心電位形成回路４０Ａの第２の差動増幅回路の＋入力端子に加えられる。第１差動増幅回路４７の＋入力端子には第２差動増幅回路４８の出力信号が加えられ、−入力端子は抵抗Ｒ４９を介してアースされている。従って、第１の差動増幅回路４７の出力端子ｔ４ｒにはアース電位を基準とした右信号−Ｒが取出される。
【００６７】
同様にして、第２の中心電位形成回路４０Ｂの出力端子ｔ４ｌにはアース電位を基準とした左―Ｌが取出され、第３の中心電位形成回路４０Ｃの出力端子ｔ４ｓにはアース電位を基準としたセンター出力信号Ｓが取出される。これら信号は第１群の和信号形成抵抗Ｒ４１、Ｒ４１、Ｒ４１を介して中心電位点４２に加わるので、中心電位点にはアース電位を基準とした中心電位Ｔ＝（Ｓ−Ｌ−Ｒ）/３が発生する。
【００６８】
中心電位点４２には第１、第２および第３のトランスＴ１、Ｔ２、Ｔ３の２次側部の両外側出力端子をそれぞれ接続した接続点Ｘ、Ｙ、Ｚが第２群の和信号形成抵抗Ｒ４２、Ｒ４２、Ｒ４２を介して接続されている。
【００６９】
従って、デルタ結線された第１、第２および第３のトランスＴ１、Ｔ２、Ｔ３の第１の２次側巻線Ｔ１２、２２、３２の接続点Ｘ、Ｙ、Ｚの出力信号は第２群の和信号形成抵抗Ｒ４２、Ｒ４２、Ｒ４２を介して加わるので、第１群の和信号形成抵抗Ｒ４１、Ｒ４１、Ｒ４１を介して中心電位点４２に加えられた中心電位点の中心電位は安定にされる。
【００７０】
それ故に、各第１、第２、第３の中心電位形成回路４０Ａ、４０Ｂ、４０Ｃの出力端子ｔ４ｒ、ｔ４ｓ、ｔ４ｌに発生した右信号―Ｒ、左信号―Ｌおよびセンター信号Ｓはアース電位を基準とした中心電位に基づいて取出すことができる。
【００７１】
図６は第１、第２、第３の中心電位形成回路４０Ａ、４０Ｂ、４０Ｃの他の実施例である。
【００７２】
図５において、第１、第２、第３の中心電位形成回路４０Ａ、４０Ｂ、４０Ｃのバッファー４５は第２の差動増幅回路４８抵抗Ｒ４８で構成したが、抵抗Ｒ４８の抵抗値を十分大きくできたら第２の差動増幅回路４８を不要にできる。
【００７３】
一実施例を示すと、図５において、抵抗Ｒ４８は１０ＫΩであるが、図６では抵抗Ｒ４８は数１００ＫΩにする必要がある。
【００７４】
図７は前述して取出されたステレオ信号を再生するステレオ再生装置のブロック図である。ステレオ信号再生取出回路１４の端子１５Ｌ、１５Ｒには左複合信号Ｌｏ、右複合信号Ｒｏが加えられる。ステレオ信号取出回路１４の出力端子１８Ｌ、１８Ｒ、１８Ｓから前述したように左信号Ｌ、右信号Ｒおよびセンター出力信号Ｓが取出される。取出された左信号Ｌ、右信号Ｒおよびセンター出力信号Ｓは増幅回路４２Ｌ、４２Ｒ、４２Ｓで増幅された後スピーカ４１Ｌ、４１Ｒ、４１Ｓに加えられる。
【００７５】
スピーカ４１Ｌは一番左に置かれ、スピーカ４１Ｒは一番右に置かれる。そしてスピーカ４１Ｓはスピーカ４１Ｌとスピーカ４１Ｒのセンター、できれば中央に置かれることが望ましい。
【００７６】
スピーカ４１Ｌは左信号Ｌが発生され、スピーカ４１Ｒからは右信号Ｒが発生される。そして本発明のステレオ再生装置の特徴は中央にあるスピーカ４１Ｓから中央のセンター出力信号Ｓが発生されていることである。
【００７７】
従って、真ん中にいる聴取者は当然に左信号Ｌと右信号Ｒと共に中央のセンター出力信号Ｓを聴くことができ、臨場感のあるステレオを楽しむことができる。それと共に右または左にずれた聴衆者にも左信号Ｌと右信号Ｒと共に、中央のセンター出力信号Ｓを聴くことができ、真ん中にいる聴衆者と同様に臨場感のあるステレオを楽しむことができる。
【００７８】
図８は本発明のステレオ再生装置の他の実施例を示すブロック図である。図６は比較的狭い室内あるいは車の中でステレオを楽しむ場合であるが、劇場等の広い場所でステレオを聴くときには中央のセンター出力信号Ｓを１つで再生するだけでは不十分である。
【００７９】
そこで、左側に置かれたスピーカ４１Ｌと中央に置かれたスピーカ４１Ｓとのセンターに第２のセンタースピーカ４１Ｓ２を置き、右側に置かれたスピーカ４１Ｒと中央に置かれたスピーカ４１Ｓとのセンターに第３のセンタースピーカ４１Ｓ３を置く。さらに第２および第３のステレオ信号取出回路１４Ｂ、１４Ｃを接続する。
【００８０】
第２および第３のステレオ信号取出回路１４Ｂ、１４Ｃは第１のステレオ信号取出回路１４と同一で、図４の構成をなしている。
【００８１】
そして、第２のステレオ信号取出回路１４Ｂの入力端子に第１の中心電位形成回路１４Ａから取出された左信号Ｌと第１のセンター出力信号Ｓを加えると、第２のステレオ信号取出回路１４Ｂから左信号ＬＬと第１のセンター出力信号Ｓとのセンターとなる第２のセンター出力信号Ｓを取出す。
【００８２】
また、第３のステレオ信号取出回路１４Ｃの入力端子に第１の中心電位形成回路１４Ａから取出された左信号Ｒと第１のセンター出力信号Ｓを加えると、第３のステレオ信号取出回路１４Ｃから左信号ＲＲと第１のセンター出力信号Ｓとのセンターとなる第３のセンター出力信号ＲＳを取出す。
【００８３】
第２のセンター出力信号ＬＳは増幅器４２Ｓ２で増幅され第２のスピーカ４１Ｓ２に加え第２のセンター出力信号Ｓ２を発生させる。同様に第３のステレオ信号取出回路１４Ｃから取出された第３のセンター出力信号ＲＳは第３のセンタースピーカ４１Ｓ３に加え第３のセンター出力信号ＲＳを発生させる。
【００８４】
前述と同様に、スピーカ４１Ｌからは左信号が発生し、スピーカ４１Ｒからは右信号が発生し、且つスピーカ４１Ｓからは第１のセンター出力信号Ｓが発生されている。このような複雑なステレオ再生装置でも中心電位形成回路を小型化できたので容易に実現可能である。
【図面の簡単な説明】
【００８５】
【図１】本発明のステレオ信号取出回路のブロック図である。
【図２】本発明のステレオ信号取出回路の原理を示す原理図である。
【図３】本発明のステレオ信号取出回路に用いたトランスの回路図で、図３（Ａ）は第１のトランス、図３（Ｂ）は第２のトランス、図３（Ｃ）は第３のトランスの回路図である。
【図４】本発明のステレオ信号取出回路の回路図である。
【図５】本発明のステレオ信号取出回路に用いた中心電位形成回路の回路図である。
【図６】本発明のステレオ信号取出回路に用いた中心電位形成回路の他の実施例を示す回路図である。
【図７】本発明のステレオ再生装置のブロック図である。
【図８】本発明のステレオ再生装置の他の実施例を示すブロック図である。
【図９】従来のステレオ信号取出回路の回路図である。
【図１０】図９のステレオ信号取出回路に用いたトランスの回路図である。
【符号の説明】
【００８６】
Ｌｏ      左複合信号
Ｒｏ      右複合信号
Ｓ        センター信号
Ｔ１      第１のトランス
Ｔ２      第２のトランス
Ｔ３      第３のトランス
Ｒ４１    第１群の和信号形成抵抗
Ｒ４２    第２群の和信号形成抵抗
１４      ステレオ信号取出回路
４０Ａ    中心電位形成回路
４０Ｂ    中心電位形成回路
４０Ｃ    中心電位形成回路
４２      中心電位点
４５      バッファー
４７      第１の差動増幅回路
４８      第２の差動増幅回路
【図１】
2009290538.tif 000003
【図２】
2009290538.tif 000004
【図３】
2009290538.tif 000005
【図４】
2009290538.tif 000006
【図５】
2009290538.tif 000007
【図６】
2009290538.tif 000008
【図７】
2009290538.tif 000009
【図８】
2009290538.tif 000010
【図９】
2009290538.tif 000011
【図１０】
2009290538.tif 000012